(57)【要約】      （修正有）【課題】コンパクトにディスク型記憶媒体を収納しつつも、ディスク型記憶媒体の記憶内容等のインデックス表示を可能にするディスク型記憶媒体用封筒を提供する。【解決手段】封筒本体１と、この封筒本体１の開口縁３ｅに沿って形成されているフラップ片５とを有するディスク型記憶媒体用封筒である。フラップ片５中であって、開口縁３ｅに沿った位置に、一以上のインデックス片形成部６が形成され、このインデックス片形成部６の外周縁であって、フラップ片５の外縁を除く部分に切取り線６ａが形成されている。インデックス片形成部６の外周縁であって、フラップ片５の外縁を除く部分を切取り線６ａに沿って切断すると、このインデックス片形成部６はインデックス片６Ｉとなる。【選択図】図１
2007261620.tif 000002
【特許請求の範囲】
【請求項１】
ディスク型記憶媒体を入れることができる幅の開口が形成されている封筒本体と、該封筒本体の開口縁に沿って形成され、該開口縁を折り曲げ線として折り曲げることで該開口を塞ぐことができるフラップ片とを有し、該封筒本体及び該フラップ片がシートで形成されているディスク型記憶媒体用封筒において、
前記フラップ片中であって、前記開口縁に沿った位置に、一以上のインデックス片形成部が形成され、
前記インデックス片形成部の外周縁であって、前記フラップ片の外縁を除く部分に切取り線が形成されている、
ことを特徴とするディスク型記憶媒体用封筒。
【請求項２】
請求項１に記載のディスク型記憶媒体用封筒において、
一以上の前記インデックス片形成部は、前記開口縁の前記幅の方向の中心を避ける位置に形成されている、
ことを特徴とするディスク型記憶媒体用封筒。
【請求項３】
請求項１及び２のいずれか一項に記載のディスク型記憶媒体用封筒において、
前記インデックス片形成部は、前記開口縁上の第一辺と、該第一辺と平行な第二辺とを有する形状を成している、
ことを特徴とするディスク型記憶媒体用封筒。
【請求項４】
請求項１及び２のいずれか一項に記載のディスク型記憶媒体用封筒において、
前記インデックス片形成部は、キャラクタ、自然物、造形物のいずれかの形状を成している、
ことを特徴とするディスク型記憶媒体用封筒。
【請求項５】
請求項１から４のいずれか一項に記載のディスク型記憶媒体用封筒において、
複数の前記インデックス片形成部が形成され、
複数の前記インデックス片形成部のうちの少なくとも一つのインデックス片形成部の形状が他のインデックス片形成部の形状と異なる、
ことを特徴とするディスク型記憶媒体用封筒。
【発明の詳細な説明】
【技術分野】
【０００１】
本発明は、ディスク型記憶媒体を収納するためのディスク型記憶媒体用封筒に関する。
【背景技術】
【０００２】
従来、ディスク型記憶媒体を収納するものとして、以下の特許文献１に記載されているものがある。
【０００３】
この特許文献１には、ディスク型記憶媒体を収納するための樹脂製のハードケース本体と、この内部に入れるインデックスカードとを有する収納ケースが開示されている。インデックスカードには、ケース本体の外部に引き出すことが可能なインデックス片が形成されている。この収納ケースは、インデックス片がケース本体内に収まっているか否かで、ディスク型記憶媒体の使用の有無を知らせることができる。また、インデックス片は、これにディスク型記憶媒体の記憶内容等を記載することで、この記憶内容等の提示に利用できる。
【０００４】
【特許文献１】実用新案登録第３１０７４６１号
【発明の開示】
【発明が解決しようとする課題】
【０００５】
特許文献１に記載の技術は、確かに、前述したように、ユーザに、ディスク型記憶媒体の使用の有無を知らせるため、さらに記憶内容等の提示のために便利な技術である。
【０００６】
ところで、ユーザからは、例えば、ディスク収納箱等に多数のディスク型記憶媒体を収納する際にはケース本体の厚みで収納数が制限されるために、また、雑誌等に添付するために、よりコンパクトな収納ケースがほしいという要望がある。
【０００７】
そこで、本発明は、このような要望に応えるべく、記憶内容等のインデックス表示が可能である上に、簡単な構成でコンパクトなディスク型記憶媒体用封筒を提供することを目的とする。
【課題を解決するための手段】
【０００８】
前記目的を達成するためのディスク型記憶媒体用封筒に係る発明は、
ディスク型記憶媒体を入れることができる幅の開口が形成されている封筒本体と、該封筒本体の開口縁に沿って形成され、該開口縁を折り曲げ線として折り曲げることで該開口を塞ぐことができるフラップ片とを有し、該封筒本体及び該フラップ片がシートで形成されているディスク型記憶媒体用封筒において、
前記フラップ片中であって、前記開口縁に沿った位置に、一以上のインデックス片形成部が形成され、
前記インデックス片形成部の外周縁であって、前記フラップ片の外縁を除く部分に切取り線が形成されていることを特徴とする。
【０００９】
ここで、一以上の前記インデックス片形成部は、前記開口縁の前記幅の方向の中心を避ける位置に形成されていることが好ましい。
【発明の効果】
【００１０】
本発明によれば、フラップ片に形成したインデックス片形成部を切取り線に沿って切断することで、これをインデックス片にすることができるので、ディスク型記憶媒体の記憶内容等をインデックス表示することができる。さらに、シートで封筒を形成しているため、構成及び製造工程が極めて簡単で製造コストを抑えることができると共に、その厚みを極めて薄くし、コンパクトにすることができる。
【発明を実施するための最良の形態】
【００１１】
以下、本発明に係るディスク型記憶媒体用封筒の一実施形態及び各種変形例について、図面を用いて説明する。但し、本発明は、以下の説明に限定されるものではなく、その要旨の範囲内において種々に変更できることは言うまでもない。
【００１２】
まず、本発明に係るディスク型記憶装置用封筒の一実施形態について、図１及び図２を用いて説明する。
【００１３】
本実施形態のディスク型記憶媒体用封筒は、略正方形状でその一辺が開口している封筒本体１と、この開口の開口縁３ｅに沿って形成されているフラップ片５とを有する。このフラップ片５は、開口縁３ｅを折り曲げ線として折り曲げることで、開口を塞ぐためのものである。封筒本体１の開口の幅は、ディスク型記憶媒体Ｄを入れることができるように、このディスク型記憶媒体Ｄの直径より僅かに大きい寸法に設定されている。なお、ディスク型記憶媒体Ｄとしては、例えば、ＣＤ−ＲＯＭ、ＣＤ−Ｒ、ＣＤ−ＲＷ、ＤＶＤ、ＨＤ−ＤＶＤ、青色レーザ対応ＤＶＤ等があるが、ディスク型の記憶媒体であれば、以上のものに限定されていない。
【００１４】
この封筒は、一枚のシートから作られている。封筒本体１は、略正方形状の背面シート片２と、これに対向し且つ背面シート片２の一辺とつながっている略正方形状の正面シート片３と、正面シート片３の互いに向かい合っている二辺のそれぞれにつながっている封止片４ａ，４ｂとを有する。各封止片４ａ，４ｂは、それぞれ、正面シート片３の境で折り曲げられ、背面シート片２に接着されている。この封筒本体１で、背面シート片２の各辺と正面シート片３の各辺とのうち、両シート片２，３をつなぐ共通の辺に対向する背面シート片２の辺２ｅ及び正面シート片３の辺３ｅは、それぞれ、開口縁を形成している。フラップ片５は、この開口縁２ｅ，３ｅのうち、正面シート片３側の開口縁３ｅに形成されている。背面シート片２には、フラップ片５を正面シート片３に対して折り曲げて開口を塞いだ際に、このフラップ片５の端部側を差し込むための切り込み２ｃが形成されている。
【００１５】
フラップ片５には、開口縁３ｅに沿った位置に、二つのインデックス片形成部６，６が形成されている。このインデックス片形成部６は、開口縁３ｅを底辺とした等脚台形状を成している。このインデックス片形成部６の外周縁であって、フラップ片５の外縁でもある開口縁３ｅを除く部分には切取り線６ａが形成されている。
【００１６】
次に、この封筒の取扱い方について説明する。
【００１７】
まず、図２に示すように、フラップ片５が開いている状態で、ディスク型記憶媒体Ｄを封筒本体１内に入れる。次に、開口縁３ｅを折り曲げ線として、フラップ片５を封筒本体１に対して折り曲げ、このフラップ片５の先端部を封筒本体１の切り込み２ｃに差し込む。以上で、ディスク型記憶媒体Ｄの収納が終了する。
【００１８】
次に、必要に応じて、図１に示すように、二つのインデックス片形成部６，６のうちいずれか一方又は両方を切取り線６ａに沿って、開口縁３ｅを除くインデックス片形成部６の外周縁をフラップ片５から切り離して、このインデックス片形成部６を正面シート片３とほぼ同一平面上に位置するように折り返す。このように、インデックス片形成部６は、フラップ片５から部分的に切り離されることにより、インデックス片６Ｉとなる。そして、必要に応じて、このインデックス片６Ｉに、ディスク型記憶媒体Ｄの記憶内容等を書き込む。
【００１９】
以上のように、本実施形態では、シートを折り曲げて形成した封筒であっても、記憶内容等のインデックス表示を行うことができる。しかも、この封筒は、シートを折り曲げて形成したものであるから、簡単な構成である上に、その厚さは極めて薄くコンパクトなものとなる。
【００２０】
次に、以上で説明したインデックス片形成部の各種変形例について説明する。
【００２１】
まず、図３を用いて、インデックス片形成部の第１の変形例について説明する。
【００２２】
本変形例は、多数のインデックス片形成部６，６，６，６をフラップ片５に形成したものである。具体的に、４つのインデックス片形成部６を開口縁３ｅに沿って形成している。ここで、注目すべき点は、封筒本体１の開口の幅方向における開口縁３ｅの中心Ｃに、いずれのインデックス片形成部６，６，６，６も存在しないことである。つまり、本発明において、インデックス片形成部６は、開口縁３ｅの幅方向の中心Ｃを避ける位置に形成されていることが好ましい。
【００２３】
この理由について、図４及び図５を用いて説明する。
【００２４】
仮に、図４に示すように、封筒本体１の開口の幅方向における開口縁３ｅの中心Ｃに、インデックス片形成部６が存在するとする。図５に示すように、封筒本体１内にディスク型記憶媒体Ｄを入れ、フラップ片５を閉じた後、このフラップ片５から、中央のインデックス片形成部６を部分的に切り離し、インデックス片６Ｉにすると、開口縁３ｅの部分のうち、このインデックス片６Ｉが存在している部分が、フラップ片５を閉じているにも関わらず、スリットＳとなる。前述したように、開口縁３ｅの中心Ｃにインデックス片形成部６が存在する場合、ディスク型記憶媒体Ｄが封筒本体１内で相対的に上下すると、このスリットＳ内に、ディスク型記憶媒体Ｄの一部が入り込み、このスリットＳを切り広げ、最終的には、封筒本体１からフラップ片５を切り離してしまう虞がある。
【００２５】
さらに、図５に示すように、インデックス片６Ｉを形成すると、元々インデックス片６Ｉであった部分(中央のインデックス片形成部６であった部分)から、ディスク型記憶媒体Ｄが剥き出しの状態となる。このため、外部からの衝撃が加わった際に、ディスク型記憶媒体Ｄが傷付く虞がある。
【００２６】
加えて、例えば、図１等から分かるように、フラップ片５の中心(開ロ縁３ｅの中心Ｃ)はディスク型記憶媒体Ｄの端部と当接することになる。つまり、ディスク型記憶媒体Ｄをディスク型記憶媒体用封筒に収納して持ち運ぶ(運送する)際に当該封筒内において、ディスク型記録媒体Ｄが上下動した場合、ディスク型記憶媒体Ｄの外周縁とフラップ片５の中心との当接が繰り返し発生することになる。ここで、中央にインデックス片形成部６が存在する(図4参照)と、インデックス片形成部６に設けられる切取り線６ａによりフラップ片５の中心付近の強度が落ちる傾向となる。このため、上記繰り返しの当接により、場合によっては、ディスク型記憶媒体Ｄがインデックス片形成部６を突き破って、ディスク型記憶媒体用封筒の外部に飛び出す虞もある。
【００２７】
そこで、本変形例、以上で説明した実施形態、更に以下で説明する各変形例では、開口縁３ｅの中心Ｃにインデックス片形成部６が存在しないようにして、封筒本体１内のディスク型記憶媒体Ｄによる、上記現象の発生を防いでいる。
【００２８】
次に、図６を用いて、インデックス片形成部の第２の変形例について説明する。
【００２９】
本変形例も、第１の変形例と同様に、多数のインデックス片形成部６，６ｂ，６ｃ，６ｄをフラップ片５に形成したものである。但し、本変形例では、多数のインデックス片形成部６，６ｂ，６ｃ，６ｄのそれぞれの形状が互いに異なっている。
【００３０】
このように各インデックス片形成部６，６ｂ，６ｃ，６ｄの形状を変えることにより、ユーザが、それぞれのインデックス片形成部６，６ｂ，６ｃ，６ｄに何らかの意味をもたせることで、いずれかのインデックス片形成部をインデックス片にしたときに、ユーザは、その位置のみならず、その形状から、その意味を理解することができる。例えば、あるインデックス片形成部６ｄに関して、ユーザは、ディスク型記録媒体にデータが記憶されていることを示すと決めた場合、ディスク型記憶媒体にデータを記憶して、これを封筒内に収納した後、このインデックス片形成部６ｄをインデックス片にすることで、その後、このインデックス片を見ることで、封筒内に収納されているディスク型記憶媒体にデータが記憶されていることを認識できる。
【００３１】
なお、ここでは、多数のインデックス片形成部６，６ｂ，６ｃ，６ｄの全ての形状が互いに異なっているが、多数のインデックス片形成部のうち一部のみ、例えば、一つのインデックス片形成部のみ、他のインデックス片形成部と形状を異ならせてもよい。
【００３２】
また、本変形例では、各インデックス片形成部６，６ｂ，６ｃ，６ｄの形状をそれぞれ異なるようにしているが、いずれのインデックス片形成部も、開口縁３ｅ上の第一辺と、この第一辺と平行な第二辺とを有する形状としている点で共通している。このように、インデックス片形成部の形状を一定の共通性を持たせながらも、それぞれ異なる形状とすることにより、ユーザが形状から意味を理解できるようになる利点が発揮されると同時に、工業生産が行い易くなるという利点も発揮されるようになる。
【００３３】
次に、図７を用いて、インデックス片形成部の第３の変形例について説明する。
【００３４】
本変形例も、以上の変形例と同様に、多数のインデックス片形成部６ｅ，６ｅ，６ｅ，６ｅをフラップ片５に形成したものである。但し、本変形例では、インデックス片形成部６ｅの外縁のうち、開口縁３ｅから最も遠い部分が、フラックス片５の外縁になっている点で、以上の実施形態及び各変形例と異なっている。
【００３５】
このように、インデックス片形成部６ｅの外縁のうち、開口縁３ｅから最も遠い部分をフラックス片５の外縁とすることで、インデックス片形成部６ｅの外縁に形成する切り取り線６ｆの量を少なくすることができ、切り取り線６ｆの形成を簡略化することができる。
【００３６】
なお、本変形例においても、それぞれのインデックス片形成部は、開口縁３ｅ上の第一辺と、この第一辺と平行な第二辺とを有する形状を成している。
【００３７】
次に、図８を用いて、インデックス片形成部の第４の変形例について説明する。
【００３８】
本変形例は、各インデックス片形成部６ｇ，６ｈ，６ｉの外形を、それぞれ、造形物、自然物、キャラクタ等の形状にしたものである。具体的には、同図中、右端のインデックス片形成部６ｇを造形物である船型に形成し、その左隣のインデックス片形成部６ｈを自然物である翼型に形成し、左端のインデックス片形成部６ｉをタヌキのキャラクタ型に形成している。
【００３９】
以上のように、インデックス片形成部６ｇ，６ｈ，６ｉの外形をキャラクタ形状等にすることで、ユーザに遊び心を持たせることができる。特に、ディスク型記憶媒体に子供用のデータを記憶した場合には、このインデックス片形成部６ｇ，６ｈ，６ｉで子供を楽しませることができる。
【００４０】
ここで、各インデックス片形成部６ｇ，６ｈ，６ｉは、それぞれ、造形物、自然物、キャラクタの形状にしているが、その形状はこれらのものに限定されない。インデックス片形成部の形状としては、以上で示した形状のほか、例えば、三角形、半円等の任意の形状を用いることができる。
【００４１】
なお、先に説明した実施形態及び各変形例は、いずれも、開口縁３ｅの中心Ｃに対してインデックス片形成部を対称に形成したが、本変形例のように、開口縁３ｅの中心Ｃに対してインデックス片形成部を非対称に形成してもよいことは言うまでもない。
【図面の簡単な説明】
【００４２】
【図１】本発明に係る一実施形態におけるディスク型記憶媒体用封筒の斜視図である。
【図２】本発明に係る一実施形態におけるディスク型記憶媒体用封筒の背面図である。
【図３】本発明に係る第１の変形例におけるディスク型記憶媒体用封筒の背面図である。
【図４】本発明に係る一実施形態及び第１の変形例と対比して説明するためのディスク型記憶媒体用封筒の背面図である。
【図５】図４の封筒にディスク型記憶媒体を収納し、インデックス片を形成したときのディスク型記憶媒体用封筒の背面図である。
【図６】本発明に係る第２の変形例におけるディスク型記憶媒体用封筒の背面図である。
【図７】本発明に係る第３の変形例におけるディスク型記憶媒体用封筒の背面図である。
【図８】本発明に係る第４の変形例におけるディスク型記憶媒体用封筒の背面図である。
【符号の説明】
【００４３】
１：封筒本体、２：背面シート片、３：正面シート片、２ｅ，３ｅ：開口縁、４ａ，４ｂ：封止片、５：フラップ片、６，６ｂ、６ｃ，６ｄ，６ｅ，６ｇ，６ｈ，６ｉ：インデックス片形成部、６ａ，６ｆ：切り取り線、Ｄ：ディスク型記憶媒体
【図１】
2007261620.tif 000003
【図２】
2007261620.tif 000004
【図３】
2007261620.tif 000005
【図４】
2007261620.tif 000006
【図５】
2007261620.tif 000007
【図６】
2007261620.tif 000008
【図７】
2007261620.tif 000009
【図８】
2007261620.tif 000010